(57)【要約】【課題】収穫量を多くしながら高品質な花序を栽培する。簡単かつ容易に、しかも理想的な状態で花序を収穫する。【解決手段】ミョウガの養液栽培装置は、ミョウガを生育させる所定の厚さと幅の培地４と、この培地４を上に載せる栽培トレイ１とを備え、栽培トレイ１の上に配置している培地４に養液２０を供給して培地４でミョウガを栽培する。栽培トレイ１は、発泡スチロールであって、底面の両側縁に沿って上方に突出する一対の側壁６を一体的に成形して設けて断面形状を溝形としている。さらに、両側の側壁６は、溝形に成形されてなる開口幅を広くする方向に傾斜させて、側壁６の内面（Ｐ）が垂直面（Ｈ）となす傾斜角（α）を３０度よりも大きくしている。ミョウガの養液栽培装置は、栽培トレイ１の上に培地４を配置して養液２０を供給し、培地４の上面と両側面とに花序を生育させる。【選択図】図２
0003117143.tif 000002
【実用新案登録請求の範囲】
【請求項１】
ミョウガを生育させる所定の厚さと幅の培地(4)と、この培地(4)を上に載せる栽培トレイ(1)とを備え、栽培トレイ(1)の上に配置している培地(4)に養液(20)を供給して培地(4)でミョウガを栽培する栽培装置であって、
栽培トレイ(1)が発泡スチロールであって、底面の両側縁に沿って上方に突出する一対の側壁(6)を一体的に成形して設けて断面形状を溝形としており、さらに両側の側壁(6)は、溝形に成形されてなる開口幅を広くする方向に傾斜させると共に、側壁(6)の内面（Ｐ）が垂直面（Ｈ）となす傾斜角（α）を３０度よりも大きくしており、
栽培トレイ(1)の上に、培地(4)を配置して養液(20)を供給し、培地(4)の上面と両側面とに花序を生育させるミョウガの養液栽培装置。
【請求項２】
側壁(6)の高さ（ｈ）が４ｃｍ以上であって、１０ｃｍ以下である請求項１に記載されるミョウガの養液栽培装置。
【請求項３】
栽培トレイ(1)の外幅（Ｗ）が、６５ｃｍ以上であって、８５ｃｍ以下である請求項１に記載されるミョウガの養液栽培装置。
【請求項４】
側壁(6)の内面が上端まで傾斜面(6A)である請求項１に記載されるミョウガの養液栽培装置。
【請求項５】
側壁(6)の内面が、上端部に起立面(6B)を有する請求項１に記載されるミョウガの養液栽培装置。
【請求項６】
培地(4)の下に、ミョウガの根が通過するのを阻止して水を通過させる根切りシート(3)を配設し、さらに、この根切りシート(3)の下に、培地(4)に水を供給する保水シート(5)を積層し、またこの保水シート(5)の下に下地フィルム(2)を積層している請求項１に記載されるミョウガの養液栽培装置。
【請求項７】
保水シート(5)が無機繊維を方向性なく立体的に集合している保水マット、又は、繊維を方向性なく集合して繊維を交点で結合している不織布である請求項６に記載されるミョウガの養液栽培装置。
【請求項８】
栽培トレイ(1)の上面(8)に排水溝(9)を設けている請求項１に記載されるミョウガの養液栽培装置。
【考案の詳細な説明】
【技術分野】
【０００１】
本考案は、ミョウガを植え付けしている培地に養液を供給してミョウガを生育させるミョウガの養液栽培装置に関する。
【背景技術】
【０００２】
ミョウガを養液栽培する装置は開発されている。（特許文献１参照）
この公報に記載される栽培装置を図１に示す。この装置は、養液３０を充填しているトレイ３１に所定の厚さのロックウール３２を敷き、ロックウール３２の上に根切りシート３３を積層して、根切りシート３３の上に培地３４を積層する。トレイ３１の養液３０は、ロックウール３２の下部を浸漬して、根切りシート３３を浸漬しないレベルにコントロールされる。
【０００３】
この公報に記載される栽培装置は、培地３４の上面と側面の両方からミョウガの花序を生育できる。このため、花序の収穫量を多くできる特徴がある。ただ、培地３４の側面から突出して生育する花序は、好ましい環境で生育できないために低品質となり、また簡単に収穫できない欠点がある。それは、トレイ３１の側壁３６が光線の照射を弱くするからである。充分な光線に照射されない側面の花序は、上面の花序のように自然で綺麗な赤色とならず、色が薄くなって商品価値が低下する。また光の照射が弱いために、自然な形態に生育させるのも難しく、色と形態の両方から高品質な花序を生育できない。
【０００４】
また、培地の側面から生育する花序は、栽培にも手間がかかる欠点がある。とくに、培地側面の下部から生育する花序は、とくに栽培に手間がかかる。それは、培地と側壁との隙間に手を入れて、花序を収穫するときに、側壁が邪魔になるからである。また、この状態で収穫すると、花序を理想的な状態では収穫できず、栽培のときに商品価値のない花序となることがある。
【特許文献１】特開平１１−３１８２４４号公報
【考案の開示】
【考案が解決しようとする課題】
【０００５】
本考案は、従来のミョウガの養液栽培装置が有する以上の欠点を解決することを目的に開発されたもので、本考案の重要な目的は、収穫量を多くしながら高品質な花序を栽培でき、さらに簡単かつ容易に、しかも理想的な状態で花序を収穫できるミョウガの養液栽培装置を提供することにある。
【課題を解決するための手段】
【０００６】
本考案のミョウガの養液栽培装置は、前述の目的を達成するために以下の構成を備える。
ミョウガの養液栽培装置は、ミョウガを生育させる所定の厚さと幅の培地４と、この培地４を上に載せる栽培トレイ１とを備え、栽培トレイ１の上に配置している培地４に養液を供給して培地４でミョウガを栽培する。栽培トレイ１は、発泡スチロールであって、底面の両側縁に沿って上方に突出する一対の側壁６を一体的に成形して設けて断面形状を溝形としている。さらに、両側の側壁６は、溝形に成形されてなる開口幅を広くする方向に傾斜させて、側壁６の内面（Ｐ）が垂直面（Ｈ）となす傾斜角（α）を３０度よりも大きくしている。ミョウガの養液栽培装置は、栽培トレイ１の上に培地４を配置して養液を供給し、培地４の上面と両側面とに花序を生育させる。
【０００７】
本考案のミョウガの養液栽培装置は、側壁６の高さ（ｈ）を、４ｃｍ以上であって、１０ｃｍ以下とすることができる。
【０００８】
本考案のミョウガの養液栽培装置は、栽培トレイ１の外幅（Ｗ）を、６５ｃｍ以上であって、８５ｃｍ以下とすることができる。
【０００９】
本考案のミョウガの養液栽培装置は、側壁６の内面を、上端まで傾斜面６Ａとすることができる。また、本考案のミョウガの養液栽培装置は、側壁６の内面の上端部に起立面６Ｂを設けることができる。
【００１０】
本考案のミョウガの養液栽培装置は、培地４の下に、ミョウガの根が通過するのを阻止して水を通過させる根切りシート３を配設し、さらに、この根切りシート３の下に、培地４に水を供給する保水シート５を積層し、またこの保水シート５の下に下地フィルム２を積層することができる。
【００１１】
本考案のミョウガの養液栽培装置は、保水シート５を、無機繊維を方向性なく立体的に集合している保水マット、又は、繊維を方向性なく集合して繊維を交点で結合している不織布とすることができる。
【００１２】
本考案のミョウガの養液栽培装置は、栽培トレイ１の上面８に排水溝９を設けることができる。
【考案の効果】
【００１３】
本考案のミョウガの養液栽培装置は、収穫量を多くしながら高品質な花序を栽培できると共に、簡単かつ容易に、しかも理想的な状態で花序を収穫できる特長がある。それは、本考案のミョウガの養液栽培装置が、培地を載せる栽培トレイの底面の両側縁に沿って上方に突出する一対の側壁を設けて、栽培トレイの断面形状を溝形とすると共に、両側の側壁を、開口幅を広くする方向に傾斜させて、側壁の内面が垂直面となす傾斜角を３０度よりも大きくしているからである。このように、栽培トレイの開口幅を広くする方向に両側の側壁を傾斜させる構造は、培地の側面と側壁の内面との間を広くできるので、この広いスペースから太陽光線を有効に照射させて、培地の側面において、綺麗な赤色の花序を生育できる。したがって、培地の側面の下部においても、商品価値の高い高品質な花序を、自然な形態に生育させながら収穫量を向上できる。
【００１４】
また、培地の側面と側壁との間を広くしているので、培地の側面に生育する花序を収穫するときにおいても、培地と側壁の間に手を入れて、側壁が邪魔になるのを有効に防止しながら、花序を理想的な状態では収穫できる特長がある。とくに、培地の側面の下部に生育する花序を傷つけることなく効率よく収穫できる。
【００１５】
本考案の請求項６のミョウガの養液栽培装置は、培地の下に根切りシートを配設すると共に、根切シートの下に、培地に水を供給する保水シートを積層して、培地と根切りシートを透過する水を保水するので、培地が乾燥するときに、保水シートから培地に水分を供給して、培地の過乾燥を防止しながら植物を生育できる特長がある。
【００１６】
本考案の請求項８のミョウガの養液栽培装置は、栽培トレイの上面に排水溝を設けているので、培地を透過した養液を速やかに流して栽培トレイから排水して、停滞する養液に起因する植物の病気を極減できる。
【考案を実施するための最良の形態】
【００１７】
以下、本考案の実施例を図面に基づいて説明する。ただし、以下に示す実施例は、本考案の技術思想を具体化するためのミョウガの養液栽培装置を例示するものであって、本考案はミョウガの養液栽培装置を以下のものに特定しない。
【００１８】
さらに、この明細書は、実用新案登録請求の範囲を理解しやすいように、実施例に示される部材に対応する番号を、「実用新案登録請求の範囲」および「課題を解決するための手段の欄」に示される部材に付記している。ただ、実用新案登録請求の範囲に示される部材を、実施例の部材に特定するものでは決してない。
【００１９】
図２ないし図４に示すミョウガの養液栽培装置は、ミョウガの根を生育させる所定の厚さと幅を有する培地４と、この培地４を上に載せる栽培トレイ１とを備える。さらに、図の養液栽培装置は、培地４の下に積層されて、培地４に植え付けされるミョウガの根が通過するのを阻止して水を通過させる根切りシート３と、この根切りシート３の下に積層されて、培地４に水を供給する保水シート５と、この保水シート５の下に積層している下地フィルム２とを、培地４を載せる栽培トレイ１に敷設している。これらの養液栽培装置は、栽培トレイ１の上に配置している培地４に養液２０を供給して培地４でミョウガを栽培する。
【００２０】
培地４は、供給される水分を保水する保水性と、過剰な水分を排水する排水性とが要求される。図の培地４は、所定の厚さのマット状で、根切りシート３の上に載せている。培地４は、ミョウガの生育に最適なものが選択され、たとえば、ヤシガラやバーク等の有機物をプレスして、所定の厚さのマット状に固化したものが使用される。この培地４には、たとえば長さを１ｍ、幅を４０ｃｍ、養液を供給する状態での厚さを約１２ｃｍとするものを使用する。ただ、培地には、ミョウガの生育に適した保水性と排水性のある全てのもの、たとえば有機物や無機物を単独であるいは混合したものが使用しできる。無機物である培地は、たとえば、シリカやアルミナを無数の空隙がある状態に焼結した粒体やロックウール等が使用できる。
【００２１】
栽培トレイ１は、図２ないし図７に示すように、底面の両側縁に沿って上方に突出する一対の側壁６を一体的に成形して設けて、断面形状を溝形としている。この側壁６は、栽培トレイ１の上に載せられる培地４や給水管２３から供給される養液２０が、栽培トレイ１の外側にこぼれ落ちるのを防止する。したがって、側壁６の高さ（ｈ）は、培地４や養液２０が外にこぼれるのを防止できる高さに成形する。側壁６の高さ（ｈ）は、４ｃｍ以上、好ましくは５ｃｍ以上とする。側壁を高くするほど、培地や養液が外にこぼれるのを確実に防止できる。ただ、高い側壁は、強度が低下して壊れやすくなると共に、培地の側面に生育する花序に太陽光を十分に照射できなくなる。したがって、側壁６は、１０ｃｍよりも低く、好ましくは８ｃｍ以下とする。側壁６は、その厚さを厚くしての強度を高めることができる。ただ、側壁６を厚くすると、栽培トレイ１全体の幅が広くなる。したがって、側壁６は、その厚さを１〜５ｃｍ、好ましくは２〜３ｃｍとして、高さを４〜１０ｃｍ、好ましくは５〜８ｃｍ、より好ましくは、４〜７ｃｍとする。
【００２２】
さらに、栽培トレイ１は、両側の側壁６を外側に向かって傾斜させている。両側の側壁６は、溝形に成形されてなる栽培トレイ１の開口幅が広くなる方向に傾斜している。栽培トレイ１は、図５ないし図７に示すように、本体部７と側壁６の境界線（ｍ）における垂直面（Ｈ）に対して、外側方向に傾斜する姿勢で側壁６を設けている。図２と図３の栽培トレイ１の側壁６は、図５と図６に示すように、内面を傾斜面６Ａとすると共に、上端部に起立面６Ｂを有する形状としている。起立面６Ｂは、図６に示すように垂直面とすることも、図５に示すように傾斜面６Ａよりも勾配の急な傾斜面とすることもできる。このように、内面の上端部に起立面６Ｂを備える側壁６は、この起立面６Ｂで培地や養液をせき止めることができるので、培地や養液が栽培トレイ１からこぼれ落ちるのを有効に防止できる。また、図４の栽培トレイ１の側壁６は、図７に示すように、その内面が上端まで傾斜面６Ａとなるように成形している。この構造は、側壁６の厚さを厚くして強靭にできる。
【００２３】
さらに、栽培トレイ１は、側壁６の内面（Ｐ）が垂直面（Ｈ）となす傾斜角（α）を３０度よりも大きくしている。図７に示す側壁６は、内面を上端まで傾斜面６Ａとしているので、この傾斜面６Ａである内面（Ｐ）と垂直面（Ｈ）とのなす角を傾斜角（α）としている。また、図５と図６に示す側壁６は、内面の上端部に起立面６Ｂを設けているので、垂直面（Ｈ）となす角を最小にする内面（Ｐ）は傾斜面６Ａではなく、起立面６Ｂの内側の上端と、側壁６と本体部７の境界線（ｍ）とを結ぶ面となる。この構造の側壁６は、側壁６の上端部である起立面６Ｂの上端と、側壁６と本体部７の境界線（ｍ）とを結ぶ面である内面（Ｐ）が、垂直面（Ｈ）となす角を傾斜角（α）としている。
したがって、本明細書において、側壁６の内面（Ｐ）が垂直面（Ｈ）となす傾斜角（α）とは、垂直面（Ｈ）となす角を最小にする側壁６の内面（Ｐ）、すなわち、側壁６の最も内側に突出する部分と、側壁６と本体部７の境界線（ｍ）とを結ぶ内面（Ｐ）が垂直面（Ｈ）となす角を意味するものとする。
【００２４】
栽培トレイ１は、側壁６の内面（Ｐ）が垂直面（Ｈ）となす傾斜角（α）を３０度以上として、培地４の側面において、効率よく花序を生育できる。傾斜角（α）が小さ過ぎると、培地の側面と側壁の内面との間を広くできず、培地の側面に太陽光線を十分に照射できなくなるからである。図に示すように、傾斜角（α）を３０度以上として、両側の側壁６を傾斜させて開口幅を広くする構造は、培地４の側面と側壁６との間を広くして太陽光線を十分に培地４の側面に照射できる。したがって、培地４の側面の下部においても花序を理想的に生育でき、収穫量を向上できる。また、培地４の側面と側壁６との間を広くできるので、培地４の側面に生育する花序を傷つけることなく効率よく収穫できる特長もある。さらにまた、側壁６を傾斜させる構造は、ここに敷設される根切りシート３に白色系のものを使用して、太陽光を反射させて培地４の側面に照射させることもできる。
【００２５】
栽培トレイ１は、傾斜角（α）を大きくすると、側壁６の高さ（ｈ）が低くなり、栽培トレイ１の外幅（Ｗ）が大きくなる。前述のように、側壁は、高さ（ｈ）が低すぎると、培地や養液が外にこぼれるのを有効に防止できなくなる。また、栽培トレイ１は、外幅（Ｗ）が広すぎると、設置するのに必要な面積が広くなって、効率よく生産できなくなる。栽培トレイ１は、たとえば、培地４の幅を４０ｃｍとするとき、その外幅（Ｗ）を、６５ｃｍ以上であって、８５ｃｍ以下として効率よく培地４の側面においても花序を生育できる。したがって、栽培トレイ１は、側壁６の高さ（ｈ）を４ｃｍ〜１０ｃｍとしながら、外幅（Ｗ）を６５ｃｍ〜８５ｃｍとできるように、傾斜角（α）を最適な角度に調整する。
【００２６】
図２と図５に示す栽培トレイ１は、本体部７の両側縁に沿って、一対の側壁６を一体的に設けている。この構造の栽培トレイ１は、傾斜角（α）を大きくして、両側部の広い範囲を側壁６とすることができる。このように、側壁６の内面を広くして緩やかな傾斜面６Ａとする栽培トレイ１は、側壁６の内面に供給される養液を側壁６の傾斜面６Ａに沿って、効率よく排水できる特長がある。
【００２７】
さらに、図３、図４、図６及び図７に示す栽培トレイ１は、本体部７が両側に側縁プレート部７Ａを備えており、この側縁プレート部７Ａの側縁から上方に突出する側壁６を一体的に成形して設けている。この栽培トレイ１は、本体部７の幅を広くできる特長がある。本体部７を広くできる栽培トレイ１は、図示しないが、ミョウガを植え付けする培地の両側に側部培地を設けて、この側部培地でミョウガ以外の植物を植え付けして栽培することもできる。この養液栽培装置は、花序に比較して早く収穫できる植物を側部培地に植え付けて、花序の収穫までの間に、側部培地に植え付けた作物を収穫して利益を上げることができる。
【００２８】
さらに、栽培トレイ１は、図８ないし図１４に示すように、上面８に排水溝９を設けている。ただし、これらの図は、図２に示す栽培トレイ１を示している。図示しないが、図３と図４に示す栽培トレイ１についても、図８ないし図１４と同様の構造とすることができる。図８ないし図１４に示す栽培トレイ１は、排水溝９として、両側の側壁６に沿って設けた一対の側溝１１と、一対の側溝１１の間に設けた中央溝１１と、一対の側溝１１と中央溝１１とを連結している連結溝１３とを備えている。
【００２９】
一対の側溝１１は、一対の側壁６から内側に離れた位置に、側壁６に沿って設けている。側溝１１は、図８に示すように、栽培トレイ１の両端面まで延長して設けている。栽培トレイ１は、培地４を透過する廃液をこの側溝１１に案内し、この側溝１１から栽培トレイ１の外部に排水する。
【００３０】
中央溝１１は、一対の側溝１１の中間に位置して、側溝１１と平行に設けている。この中央溝１１も、栽培トレイ１の両端面まで延長して設けている。この中央溝１１は、栽培トレイ１の中央上面８Ａの上方に配設される培地４を透過する廃液の一部を案内して効率よく排水する。
【００３１】
さらに、栽培トレイ１は、一対の側溝１１と中央溝１１とを連結溝１３で連結している。連結溝１３は、一対の側溝１１を連結して設けた溝で、中央溝１１を横断して、中央溝１１と垂直に交差している。この連結溝１３は、中央溝１１を流れる廃液を側溝１１に流して排水する。また、連結溝１１は、栽培トレイ１の中央上面８Ａの上方に配設される培地４を透過する廃液の一部を案内して排水するはたらきもある。
【００３２】
さらに、図１２に示す連結溝１３は、中央溝１１から両側の側溝１１に向かって、底面を下り勾配に傾斜させている。この構造の連結溝１３は、中央溝１１を流れる廃液を、速やかに側溝１１に向かって流下させることができる。ただ、連結溝は、一方の側溝から他方の側溝に向かって、底面を下り勾配に傾斜させることもできる。この構造は、一方の側溝と中央溝を流れる廃液を、他方の側溝に流下させて排水する。
【００３３】
以上の排水溝９は、廃液をスムーズに流すことができる幅と深さを有する。排水溝９は、幅が狭すぎても、深さが浅すぎても、廃液に含まれる異物が詰まりやすくなり、廃液をスムーズに排水できない。このため、排水溝９の幅と深さは、たとえば１ｃｍ以上、好ましくは２ｃｍ以上とする。ただ、栽培トレイは、排水溝９の幅を広くして、深さを深くすると全体の強度が低下する。このため、排水溝９の幅と深さは、たとえば７ｃｍよりも小さく、好ましくは６ｃｍ以下とする。排水溝９の幅と深さは、廃液の詰まりを少なく、かつ培地４を水平に保持することから、好ましくは３〜５ｃｍとする。
【００３４】
さらに、図３と図４に示す栽培トレイ１は、その上面８であって、側壁６と側溝１１との間に位置する側部上面８Ｂを、側溝１１に向かって下り勾配に傾斜させてなる傾斜面としている。この栽培トレイ１は、傾斜面である側部上面８Ｂの上方に配設される培地４を透過した廃液を、側部上面８Ｂから側溝１１に向かって流して排水する。すなわち、この栽培トレイ１は、側壁６の近傍において培地４を通過する廃液を、側壁６のふもとのコーナー部に停滞させることなく速やかに側溝１１に向かって流下させることができる。また、この側部上面８Ｂを傾斜面とする栽培トレイ１は、側壁６との連結部分である側縁プレート部７Ａを側壁６に向かって次第に厚く成形できるので、側縁プレート部７Ａと側壁６との連結強度を高くできる特長もある。
【００３５】
さらに、図に示す栽培トレイ１は、側壁６と側縁プレート部７Ａの底面側に位置して、下方に突出する複数列の補強リブ１０を設けている。補強リブ１０は、側壁６に対して垂直な方向に形成されており、栽培トレイ１の底面側に所定の間隔で一体的に成形して設けている。この補強リブ１０は、側縁プレート部７Ａと側壁６とを下側から支持してこれらを補強しており、この部分が変形したり破壊されるのを防止している。
【００３６】
さらに、図に示す栽培トレイ１は、一対の側溝１１の間の中央上面８Ａを、側溝１１に向かって下り勾配に傾斜させている。この構造は、中央上面８Ａの上方に配設される培地４を透過する廃液を、両側の側溝１１に向かって速やかに流下させて排水できる特長がある。ただ、中央上面は、中央溝に向かって下り勾配に傾斜させることも、側溝と中央溝の両方に向かって下り勾配に傾斜させることもできる。
【００３７】
以上の構造の栽培トレイは、側部上面８Ｂと中央上面８Ａとを傾斜面としているが、本考案は、栽培トレイの上面を必ずしも傾斜面とする必要はない。栽培トレイは、上面全体を平らな面とすることも、あるいは、部分的に傾斜面とすることもできる。
【００３８】
さらに、栽培トレイは、図示しないが、側溝に流れ込んだ廃液を栽培トレイの外部に排水する排水孔を設けることができる。この栽培トレイは、たとえば、排水孔を側溝の中央部に設けることができる。排水孔は、栽培トレイの底面を貫通する貫通孔として、側溝に流れ込んだ廃液を通過させて外部に排水することができる。排水孔を有する栽培トレイは、側溝の底面を排水孔に向かって下り勾配に傾斜させて、側溝を流れる廃液を速やかに排水孔に流すことができる。
【００３９】
以上の構造の栽培トレイ１は、プラスチックを発泡成形して製作される。この栽培トレイ１は安価に多量生産できる。プラスチック発泡体で製作される栽培トレイ１は、表面に非発泡層を設けて、廃液の内部への浸透を阻止し、あるいは独立気泡に発泡させて、廃液の内部への浸透を阻止することができる。ただ、栽培トレイ１は、上に敷設される非透水シートの下地フィルム２で、廃液が栽培トレイ１に浸透するのを防止できるので、栽培トレイ１を完全な防水構造とする必要はない。プラスチック発泡体の栽培トレイ１は、発泡スチロールで製作して、とくに安価に多量生産できる。ただ、栽培トレイは、他のプラスチック発泡体、たとえば塩化ビニル発泡体、ＥＶＡ発泡体、ウレタン発泡体等で製造することもできる。
【００４０】
さらに、図の栽培トレイ１は、複数の区画プレート１Ａに分割して、隣接して配置する区画プレート１Ａを嵌着構造で連結する構造としている。この栽培トレイ１は、所定の大きさの区画プレート１Ａを並べて畝のように細長く連結できる。区画プレート１Ａは、隣接縁に互いに嵌着できる突出部１５と凹部１６とを設けている。この栽培トレイ１は、図１５に示すように、突出部１５を凹部１６に入れて、隣接する区画プレート１Ａを定位置に連結できる。養液栽培装置は、栽培トレイ１の上に非透水シートの下地フィルム２を敷設するので、区画プレート１Ａを、連結部から水が漏れないように防水構造で連結する必要はない。上に敷設している下地フィルム２で、廃液が栽培トレイ１の上面８に浸透しないようにしながら集めることができるからである。
【００４１】
下地フィルム２は、栽培トレイ１の上に敷設している。この下地フィルム２は、上側に配設される培地４、根切りシート３及び保水シート５と、下側に配設されると栽培トレイ１とを区画している。下地フィルム２は非透水シートで、培地４を通過した廃液がこれを透過して、栽培トレイ１まで浸透するのを防止している。下地フィルム２は、栽培トレイ１の外形よりも大きく、両側の側壁６の外側面まで延長して配設される。側壁６と下地フィルム２の間から廃液が浸入するのを防止するためである。
【００４２】
下地フィルム２は、栽培トレイ１の上面８に沿う状態で敷設される。側溝１１や中央溝１１に敷設される下地フィルム２は、図２ないし図４に示すように、その内面に沿って敷設される。側溝１１や中央溝１１の内面に沿って敷設される下地フィルム２は、その内側に形成される溝内を廃液が流れる。したがって、本明細書において、「側溝や中央溝を廃液が流れる」とは、側溝や中央溝の内側に直接に廃液が流れるのではなく、側溝や中央溝の内側に敷設される下地フィルムの内側を廃液が流れることを意味するものとする。
【００４３】
下地フィルム２は、プラスチックフィルムからなる非透水シートである。プラスチックフィルムである非透水シートの下地フィルム２は、ポリエチレンフィルムが適している。ただ、この下地フィルムのプラスチックフィルムには、塩化ビニルフィルムも使用できる。さらに、本考案の養液栽培装置は、非透水シートである下地フィルムを、プラスチックフィルムに特定しない。非透水シートである下地フィルムには、たとえば表面を防水加工した不織布や布等も使用できるからである。不織布や布で構成される下地フィルムは、プラスチックフィルムに比べて破れ難く、また熱に強い特長がある。
【００４４】
保水シート５は、栽培トレイ１の上面８に位置して、下地フィルム２の上に敷設している。すなわち、保水シート５は、下地フィルム２と根切りシート３の間に配設している。この保水シート５は、培地４と根切りシート３を透過した廃液を吸水して保水する。保水シート５は、無機繊維を方向性なく立体的に集合している保水マット、繊維を方向性なく集合して繊維を交点で結合している不織布、所定の厚さのロックウール、織布、耐水性のある紙等が使用できる。図に示す養液栽培装置は、保水シート５を保水マットとしている。ただ、保水シートには、ロックウールを使用することもできる。養液栽培装置は、保水シート５に水分を保水するので、培地４が乾燥するときに、保水する水分を根切りシート３に透過させて、培地４に供給する。保水シート５の水分は、気化して培地４に供給され、あるいは根切りシート３を透過して培地４に浸透して補給される。したがって、これらの養液栽培装置は、培地４の過乾燥を防止しながらミョウガを生育できる特長がある。
【００４５】
根切りシート３は、防根シートとも呼ばれるシートで、すでに市販されているものを使用する。根切りシート３は、細繊維を立体的に集合した不織布が使用できる。また、微細な貫通孔を無数に設けているプラスチックフィルムも根切りシート３として使用できる。さらに、根切りシート３は、水を透過させて植物の根が成長して通過するのを阻止できる全てのシートを使用することができる。
【００４６】
根切りシート３は、培地４の下に積層されて、培地４に植え付けしている植物の根が通過するのを阻止する。図の根切りシート３は、培地４と保水シート５との間に配設されており、植物の根が伸びて保水シート５や栽培トレイ１の溝に侵入するのを阻止する。植物の根が保水シート５や栽培トレイ１の溝に侵入すると、根が廃液に接触して病気になるからである。したがって、根切りシート３は、好ましくは、図２ないし図４に示すように、栽培トレイ１の上側全面に配設される。ただ、栽培トレイの上面の全面でなく、一部に培地を載せて植物を生育させる場合、必ずしも栽培トレイの全面に根切りシートを配設する必要はない。図の根切りシート３は、保水シート５の上に水平に敷設して、栽培トレイ１の側壁６の両側から下方に垂らしている。この養液栽培装置は、植物の根や培地４が根切りシート３と下地フィルム２の間に侵入するのを確実に防止できる。
【００４７】
以上の養液栽培装置は、水平栽培台２６の上に水平に配置される。図２ないし図４に示す水平栽培台２６は、地面から上に離して配置している載せ台である。このように、載せ台に載置される養液栽培装置は、外部に排水される廃液を自然に流下させて効率よく回収できる特長がある。ただ、水平栽培台は、必ずしも地面から離した載せ台とする必要はなく、水平栽培台を露地として、養液栽培装置を直接に、露地に載置することもできる。
【００４８】
図に示す養液栽培装置は、ミョウガを植え付けている培地４に、給水器２５で養液２０を供給している。給水器２５は、図に示すように、養液２０を貯溜するタンク２１と、このタンク２１内の養液２０を吸い上げて移送するポンプ２２と、このポンプ２２から供給される養液２０を培地４に散水する給水管２３とを備える。この構造の給水器２５は、ポンプ２２を連続運転して植物に定量の養液２０を連続供給し、あるいは、ポンプ２２の運転を制御部２４で制御して、所定量の養液２０を所定の時間間隔で植物に供給する。ミョウガに供給される養液２０は、培地４と根切りシート５とを透過して、一部は保水シート５に吸収され、残りは廃液として側溝１１に流入されて外部に排水される。側溝１１から外部に排水される廃液は、図に示すように、回収されて給水器２５のタンク２１に環流される。図に示す給水器２５は、タンク２１に環流される廃液を、給水器２５を介して再び培地４に供給する構造としているが、回収した廃液は、給水器２５のタンク２１に環流させることなく、給水器とは別の回収用のタンクに集めることもできる。
【００４９】
ミョウガに供給される養液２０は、水に肥料や薬剤を添加した溶液である。したがって、培地４と根切りシート３を透過した廃液が、露地に排水されるのは好ましくない。それは、廃液に含まれる成分によって露地の土壌を汚染し、あるいは、雑草や細菌等の繁殖を促進するおそれがあるからである。このように、栽培トレイから外部に排水される廃液を回収する養液栽培装置は、廃液が露地に浸透するのを防止して、理想的な環境で植物を栽培できる特長がある。
【００５０】
回収された廃液は、廃棄され、あるいは再び培地に供給される。回収されて再び培地４に供給される廃液は、必要な肥料を添加して所定の肥料濃度に調整される。ただ、回収された廃液は、肥料濃度を調整することなく、水分を補給する目的で培地４に供給することもできる。回収した廃液を再び培地４に供給する装置は、水を有効に利用して水の消費量を少なくできる。また、廃液には肥料も含有されているので、廃液を再び培地に供給する装置は、ランニングコストを低減できる特長もある。さらにまた、肥料を含む廃液を周囲に排水しない特徴もある。
【図面の簡単な説明】
【００５１】
【図１】従来の養液栽培装置の構成を示す縦断面図である。
【図２】本考案の一実施例にかかるミョウガの養液栽培装置の概略断面図である。
【図３】本考案の他の実施例にかかるミョウガの養液栽培装置の概略断面図である。
【図４】本考案の他の実施例にかかるミョウガの養液栽培装置の概略断面図である。
【図５】図２に示す養液栽培装置の栽培トレイの側壁を示す拡大断面図である。
【図６】図３に示す養液栽培装置の栽培トレイの側壁を示す拡大断面図である。
【図７】図４に示す養液栽培装置の栽培トレイの側壁を示す拡大断面図である。
【図８】図２に示す栽培トレイの平面図である。
【図９】図８に示す栽培トレイの底面図である。
【図１０】図８に示す栽培トレイの正面図である。
【図１１】図８に示す栽培トレイのＡ−Ａ線断面図である。
【図１２】図８に示す栽培トレイのＢ−Ｂ線断面図である。
【図１３】図８に示す栽培トレイのＣ−Ｃ線断面図である。
【図１４】図８に示す栽培トレイのＤ−Ｄ線断面図である。
【図１５】区画プレートの連結構造を示す側面図である。
【符号の説明】
【００５２】
１…栽培トレイ          １Ａ…区画プレート
２…下地フィルム
３…根切りシート
４…培地
５…保水シート
６…側壁                ６Ａ…傾斜面
６Ｂ…起立面
７…本体部              ７Ａ…側縁プレート部
８…上面                ８Ａ…中央上面
８Ｂ…側部上面
９…排水溝
１０…補強リブ
１１…側溝
１２…中央溝
１３…連結溝
１５…突出部
１６…凹部
２０…養液
２１…タンク
２２…ポンプ
２３…給水管
２４…制御部
２５…給水器
２６…水平栽培台
３０…養液
３１…トレイ
３２…ロックウール
３３…根切りシート
３４…培地
３６…側壁
【図１】
0003117143.tif 000003
【図２】
0003117143.tif 000004
【図３】
0003117143.tif 000005
【図４】
0003117143.tif 000006
【図５】
0003117143.tif 000007
【図６】
0003117143.tif 000008
【図７】
0003117143.tif 000009
【図８】
0003117143.tif 000010
【図９】
0003117143.tif 000011
【図１０】
0003117143.tif 000012
【図１１】
0003117143.tif 000013
【図１２】
0003117143.tif 000014
【図１３】
0003117143.tif 000015
【図１４】
0003117143.tif 000016
【図１５】
0003117143.tif 000017